(57)【要約】【課題】簡単な手書き入力によってショートメールを送信したり、命令指示の制御を行ったりすることができる送信装置及びその送信方法を提供する【解決手段】送信装置１は手書き入力ユニット１０、処理ユニット１１及び実行ユニット１２を備える。手書き入力ユニット１０は手書き文字１０１１または手書き図形２０を連続して入力できる手書き画面１０１を提供する。処理ユニット１１は手書き文字１０１１を順番に複数の一連の文字図形に変換し、順番に文字図形を複数の一連の微小図形１１１に縮小するか、手書き図形２０を対応するプログラムの命令指示に変換する。実行ユニット１２は順番に微小図形１１１を外部の受信端末に送信するか、上述の命令指示に基づいて対応するプログラムを執行する。【選択図】  図１
2007312381.tif 000002
【特許請求の範囲】
【請求項１】
手書き入力ユニット、処理ユニット及び実行ユニットを備え、
前記手書き入力ユニットは、手書き文字または手書き図形を入力する手書き画面を有し、
前記処理ユニットは、前記手書きユニットの手書き画面に入力した手書き文字を文字図形に変換して、該文字図形を微小図形に縮小するか、対応するプログラムの命令指示に変換し、
前記実行ユニットは、前記処理ユニットが変換した前記微小図形を外部の受信端末に送信するか、前記命令指示に基づいて対応するプログラムを実行することを特徴とする送信装置。
【請求項２】
前記送信装置は、ハンドヘルド型装置であることを特徴とする請求項１記載の送信装置。
【請求項３】
前記手書き画面は、タッチスクリーンであることを特徴とする請求項１記載の送信装置。
【請求項４】
前記手書き文字または手書き図形は、指入力によって行われることを特徴とする請求項１記載の送信装置。
【請求項５】
前記文字図形及び前記微小図形は、図形ファイルであることを特徴とする請求項１記載の送信装置。
【請求項６】
手書き入力ユニット、処理ユニットおよび実行ユニットを備え、
前記手書き入力ユニットは、連続して複数の手書き文字または少なくとも一つの手書き図形を入力する手書き画面を有し、
前記処理ユニットは、前記手書きユニットの手書き画面に入力した手書き文字を順番に複数の一連の文字図形に変換して、順番に前記文字図形を複数の一連の微小図形に縮小するか、前記手書き図形を対応するプログラムの命令指示に変換し、
前記実行ユニットは、順番に前記微小図形を外部の受信端末に送信するか、順番に前記命令指示に基づいて対応するプログラムを執行することを特徴とする送信装置。
【請求項７】
前記送信装置は、ハンドヘルド型装置であることを特徴とする請求項６記載の送信装置。
【請求項８】
前記手書き画面は、タッチスクリーンであることを特徴とする請求項６記載の送信装置。
【請求項９】
前記手書き文字または手書き図形は、指入力によって行われることを特徴とする請求項６記載の送信装置。
【請求項１０】
前記文字図形及び前記微小図形は、複数の図形ファイルであることを特徴とする請求項６記載の送信装置。
【請求項１１】
手書き文字または手書き図形を入力するために手書き画面を準備するステップと、
前記手書きユニットの手書き画面に入力した手書き文字を文字図形に変換し、前記文字図形を微小図形に縮小するか、前記手書き図形を対応するプログラムの命令指示に変換するステップと、
前記微小図形を外部の受信端末に送信するか、前記命令指示に基づいて対応するプログラムを実行するステップと、を含むことを特徴とする送信方法。
【請求項１２】
前記送信方法は、ハンドヘルド型装置によって行われることを特徴とする請求項１１記載の送信方法。
【請求項１３】
前記手書き画面は、タッチスクリーンであることを特徴とする請求項１１記載の送信方法。
【請求項１４】
前記手書き文字または手書き図形は、指入力によって行われることを特徴とする請求項１１記載の送信方法。
【請求項１５】
前記文字図形及び前記微小図形は、図形ファイルであることを特徴とする請求項１１記載の送信方法。
【請求項１６】
手書き文字または手書き図形を入力するために手書き画面を準備するステップと、
前記手書き画面に入力した手書き文字を複数の一連の文字図形に変換し、前記文字図形を複数の一連の微小図形に縮小するか、前記手書き図形を対応するプログラムの命令指示に変換するステップと、
前記微小図形を外部の受信端末に送信するか、前記命令指示に基づいて対応するプログラムを実行するステップと、を含むことを特徴とする送信方法。
【請求項１７】
前記送信方法は、ハンドヘルド型装置によって行われることを特徴とする請求項１６記載の送信方法。
【請求項１８】
前記手書き画面は、タッチスクリーンであることを特徴とする請求項１６記載の送信方法。
【請求項１９】
前記手書き文字または手書き図形は、指入力によって行われることを特徴とする請求項１６記載の送信方法。
【請求項２０】
前記文字図形及び前記微小図形は、複数の図形ファイルであることを特徴とする請求項１６記載の送信方法。
【発明の詳細な説明】
【技術分野】
【０００１】
本発明は、送信装置及びその送信方法に係り、特に手書き文字、図形の送信または変換を行う送信装置及びその送信方法に関する。
【背景技術】
【０００２】
現在、如何なる場所でも、如何なる時間でも各種のハンドヘルド型の装置が広く使用されている。ＰＤＡやＧＰＳ装置を使用して旅行のナビゲーション、携帯通信、データの記録管理、電子メールの送受信及びショートメールの送信、或いはマイクロソフト社のＭＳＮまたはヤフーのＱＱによるインスタントメッセージ通信などが行われている。上述の便利な通信技術によって、使用者は音声認識、手書き認識またはタッチスクリーンの機能またはキーボードによって必要な文字入力を行なったり、必要な機能をタッチしたりして操作する。しかしながら、上述の操作を行なうとき、仮に使用者が公共の交通機関や自動車などの揺れやすい場所や騒がしい場所にいる場合、または使用者が忙しくて手書き認識機能を使用できなかったり、また小型モニタの字を見られなかった場合において、音声認識または手書き認識によってショートメールを入力したり、ＭＳＮのインスタントメッセージ通信をしたりするとき、通常使用者の発音や手書き文字がはっきりせず、また周囲が騒がしいことから、適切な操作を行なうことができなかったり、正確な認識が行われなかったりする状況が発生し、入力や送信を行う上で非常に不便である。
【０００３】
上述の問題に鑑み、如何に簡単で便利な送信装置およびその送信方法を提供するかは解決が期待された重要な課題であった。
【発明の開示】
【発明が解決しようとする課題】
【０００４】
本発明の第１の目的は、使用者が公共交通機関や自動車内などの揺れやすく、騒がしい環境においても、簡単に手書き入力によってショートメールを送信したり、命令指示の制御を行ったりすることができる送信装置及びその送信方法を提供することにある。
【０００５】
本発明の第２の目的は、使用者が忙しくて手書き認識ができなかったり、また小型モニタの字を見られなかった場合でも、便利な手書き入力によって小型モニタの字を選択する必要がなく、ショートメールを送信したり、命令指示の制御を行ったりすることができる送信装置及びその送信方法を提供することにある。
【０００６】
本発明の第３の目的は、使用者は音声認識や手書き認識を使用する必要がなく、便利な手書き入力によって、音声認識や手書き認識の認識率を気にすることなくショートメッセージの送信や命令指示の制御を行うことができる送信装置及びその送信方法を提供することにある。
【０００７】
本発明の第４の目的は、使用者がショートメール通信やＭＳＮのインスタントメッセージ通信を行うとき、使用者自身の個性や風格を表す文字情報を送信でき、また文字を変換する必要がなく、言語が限定されることがない送信装置及びその送信方法を提供することにある。
【０００８】
本発明の第５の目的は、使用者がショートメール通信またはＭＳＮインスタントメッセージ通信を行うとき、手書きファイルを直接送信でき、認識間違いが発生したり、字の選択、修正に時間が掛かったりすることがない送信装置及びその送信方法を提供することにある。
【０００９】
本発明の第６の目的は、使用者がショートメール通信またはＭＳＮインスタントメッセージ通信を行うとき、使用者が直接手書きファイルを送信する場合、各文字図形をそれぞれ一つの特定の方形ブロックから構成し、一つの文章として送信しないことにより、使用者は随時任意の文字図形を修正でき、同様に文字ファイルの修正も行うことができる送信装置及びその送信方法を提供することにある。
【００１０】
本発明の第７の目的は、使用者はモニタ上の小さな文字を見てタッチペンでモニタ上の機能を選択する必要がなく、手書き入力時に生成される各種手書き図形によって送信装置のすべての機能を操作できる送信装置及びその送信方法を提供することにある。
【課題を解決するための手段】
【００１１】
上述の課題を解決するために、本発明の送信装置は、少なくとも手書き入力ユニット、処理ユニット及び実行ユニットを備える。前記手書きユニットは、手書き画面を提供することができ、それによって使用者は指で手書き文字または手書き図形を入力できる。処理ユニットは、上述の手書き文字を文字図形に変換し、この文字図形を微小図形に縮小するか、上述の手書き図形を対応するプログラムの命令指示へと変換する。実行ユニットは、上述の図形を外部の受信端末に送信するか、上述の命令指示に基づいて対応するプログラムを実行する。
【００１２】
また、上述の送信装置における手書き画面は、連続して複数の手書き文字または複数の手書き図形を入力できる。処理ユニットは、これらの複数の手書き文字を順番に複数で一連の文字図形に変換することができ、順番にこれらの文字図形を複数で一連の微小図形に縮小するか、これらの手書き図形をそれぞれ対応するプログラムの複数の命令指示に変換することができる。実行ユニットは、順番にこれらの微小図形を外部の受信端末に送信するか、上述の命令に基づいて対応するプログラムを一つ一つ実行することができる。注意すべき点は、送信装置はＰＤＡやＧＰＳ装置などのハンドヘルド型装置であるという点である。また、手書き画面は、タッチスクリーンとすることができる。ここでの各文字図形および各微小図形は、それぞれ一つの図形ファイルと見なすことができる。
【００１３】
上述の送信装置に基づいて、送信方法が提供される。その方法は下記のステップを含む。
【００１４】
（ａ）上述の入力ユニットによって手書き画面を準備し、手書き文字または手書き図形を入力する。
【００１５】
（ｂ）手書き文字を文字図形に変換し、文字図形を微小図形に縮小するか、手書き図形を対応するプログラムの命令指示に変換する。
【００１６】
（ｃ）この微小図形を外部の受信端末に送信するか、命令指示に基づいて対応するプログラムを実行する。
【００１７】
また、上述の送信装置と同様に、この送信方法における手書き画面は連続して複数の手書き文字または複数の手書き図形を入力できる。処理ユニットは、これらの複数の手書き文字を順番に複数で一連の文字図形に変換することができ、順番にこれらの文字図形を複数で一連の微小図形に縮小したり、これらの手書き図形を対応するプログラムの複数の命令指示に変換することができる。実行ユニットは順番にこれらの微小図形を外部の受信端末に送信したり、これらの命令に基づいて対応するプログラムを一つ一つ実行することができる。注意すべき点は、送信装置はＰＤＡやＧＰＳ装置などのハンドヘルド型装置であるという点である。また、手書き画面はタッチスクリーンとすることができる。ここでの各文字図形及び各微小図形は、それぞれ一つの図形ファイルと見なすことができる。
【発明の効果】
【００１８】
従来技術による手書き認識は、各比較演算法によってその認識の正確性を確認する必要があるが、本発明の文字図形は認識を行う必要がない。また、従来技術の手書き認識の出力形式は例えばＵｎｉｃｏｄｅ／Ｂｉｇ‐５形式などの比較認識によって生成された標準文字であるが、本発明の手書き文字の出力形式は図形ファイルまたは文字筆跡ファイルである。また、従来技術による手書き認識は比較後、使用者が字を選択する必要があり、使用者の字を書くときの習慣によって認識率が安定しない状況が発生しやすいが、本発明の手書き文字の入力は字を選択する必要も比較認識する必要もないので、従来技術の手書き認識よりも入力演算が速い。
【発明を実施するための最良の形態】
【００１９】
以下、図面を参照して本発明の実施例を説明する。
【００２０】
図１は本発明実施例における送信装置の操作状況を示す模式図である。図１において、送信装置１は手書き入力ユニット１０、処理ユニット１１及び実行ユニット１２を備える。前記手書き入力ユニット１０は、手書き画面１０１を提供し、使用者は指で手書き画面１０１上に手書き文字１０１１を入力することができる。また、処理ユニット１１は、手書き文字１０１１を文字図形の図形ファイルまたは文字筆跡ファイル（図示せず）に変換し、この文字図形の図形ファイルまたは文字筆跡ファイルを縮小し、微小図形１１１の形態で手書き画面１０１の下方位置１０２に表示する。使用者は随時実行ユニット１２によって前記微小図形１１１の送信を行ったり、処理ユニット１１によって微小図形１１１の削除などの対応するプログラムの命令指示を行うことができる。
【００２１】
図２は本実施例の送信装置のもう一つの操作状況を示す模式図である。図２において、送信装置１の手書き画面１０１によって使用者は指で手書き画面１０１上に○や×や＋などの各種予め設定された手書き図形２０の入力を行うことができる。このとき、処理ユニット１１は、この手書き図形２０を命令指示に変換し、実行ユニット１２によってこの命令指示に基づいて微小図形の削除や新しい微小図形の挿入など、対応するプログラムを執行することができる。
【００２２】
図３は本発明実施例の送信装置のさらにもう一つの操作状況を示す模式図である。図３において、送信装置１の手書き画面１０１は連続して複数の手書き文字１０１１を入力し、複数の微小図形１１１の形態で手書き画面１０１下方位置１０２に表示し、手書き文字１０１１の入力順序に従ってその微小図形１１１を配列する。
【００２３】
図４は本発明の送信方法の一実施例を示す流れ図である。図４において、本発明の送信方法は下記のステップを含む。
【００２４】
ステップ４０：使用者が手書き画面上に手書き方式で手書き文字を書き込む。
【００２５】
ステップ４１：例えば０．５秒内といった一定時間内においては手書き画面は反応せず、使用者が手書き文字の入力を完了したかどうかの判定を行う。
【００２６】
ステップ４２：上述の手書き文字の入力座標点を保存する。
【００２７】
ステップ４３：上述の手書き文字を６４×６４画素の微小図形に縮小する。
【００２８】
ステップ４４：上述の微小図形をファイル内に一次保管する。
【００２９】
ステップ４５：使用者はこのとき次の手書き文字を入力することができる。
【００３０】
ステップ４６：使用者が送信の命令指示を下したかどうかの判定を行う。下していない場合はステップ４０に戻り、下した場合はステップ４７へと進む。
【００３１】
ステップ４７：使用者が下した上述の微小図形の送信命令を受信し、すべての上述のファイル内に保管された微小図形に関連する図形ファイルを読取る。
【００３２】
ステップ４８：予め設けられた例えばＴＣＰ／ＩＰプロトコルなどのネットワークプロトコルを使用して上述の微小図形の図形ファイルを使用者が指定する外部の受信端末に送信する。
【００３３】
ステップ４９：上述の送信が成功したかどうかの確認を行う。仮に失敗した場合ステップ５０に進む。成功した場合ステップ５１に進む。
【００３４】
ステップ５０：上述のネットワーク送信を再び行う。仮に送信に失敗した場合はステップ５１に進む。
【００３５】
ステップ５１：上述のネットワーク送信が連続して３回失敗したかどうかの確認を行う。仮にそうであれば本送信方法を終了し、使用者のネットワーク送信に問題が発生していることになる。仮にそうでなければステップ５０に戻る。
【００３６】
ステップ５２：ステップ４９における上述のファイル内の微小図形の図形ファイルの送信が成功し、上述のファイル内のこれらの図形ファイルを消去する。
【００３７】
図５は本発明の送信装置及びその送信方法における手書きの文字図形と従来技術における手書き認識との比較表である。図５において、本発明実施例の文字図形は認識を行う必要がなく、従来技術による手書き認識は各比較演算法によってその認識の正確性を確認する必要がある。また、本発明実施例の手書き文字の出力形式は図形ファイルまたは文字筆跡ファイルであり、従来技術の手書き認識の出力形式は例えばＵｎｉｃｏｄｅ／Ｂｉｇ‐５形式などの比較認識によって生成された標準文字である。また、本発明実施例の手書き文字の入力は、字を選択する必要も比較認識する必要もないので、従来技術の手書き認識よりも入力演算が速い。従来技術による手書き認識は、比較後、使用者が字を選択する必要があり、使用者の字を書くときの習慣によって認識率が安定しない状況が発生しやすい。
【００３８】
以上は好適な実施例によって本発明を詳細に説明したものであり、本発明の範囲を限定するものではなく、当該技術に熟知するものは本発明の主旨を逸脱しない範囲において変更および調整を行うことができる。
【図面の簡単な説明】
【００３９】
【図１】本発明実施例の送信装置の操作状況を示す模式図である。
【図２】本発明実施例の送信装置の操作状況を示すもう一つの模式図である。
【図３】本発明実施例の送信装置の操作状況を示すさらにもう一つの模式図である。
【図４】本発明実施例の送信方法の好適な一実施例を示す流れ図である。
【図５】本発明と従来技術との比較表である。
【符号の説明】
【００４０】
１      送信装置
１０    手書き入力ユニット
１０１  手書き画面
１０２  下方位置
１０１１手書き文字
１１    処理ユニット
１１１  微小図形
１２    実行ユニット
２０    手書き図形
【図１】
2007312381.tif 000003
【図２】
2007312381.tif 000004
【図３】
2007312381.tif 000005
【図４】
2007312381.tif 000006
【図５】
2007312381.tif 000007